(57)【要約】【課題】ドライバ用ＩＣの境界部でも表示上の問題が生じることなく黒挿入が行われ、表示を擬似的にインパルス化できる液晶表示装置およびその駆動方法を提供する。【解決手段】１水平走査期間毎に所定期間だけ隣接ソースラインを短絡させるように構成されたドット反転駆動方式の液晶表示装置において、ゲートドライバは、画素形成部に画素データを書き込むための画素データ書込パルスと黒電圧を書き込むための黒電圧印加パルスＰｂとを含む走査信号を各ゲートラインに印加する。このような走査信号を生成するために、表示制御回路は、各ゲートドライバ用ＩＣチップにつきシフトレジスタの初段から出力される出力信号Ｑ１の黒挿入のための立ち上がり時から当該シフトレジスタの最終段から出力される出力信号Ｑ２７０の黒挿入を終了するための立ち下がり時までの期間には黒挿入用波形となるゲートドライバ出力制御信号ＧＯＥを出力する。【選択図】図６
2007192867.tif 000002
【特許請求の範囲】
【請求項１】
複数のデータ信号線と、前記複数のデータ信号線と交差する複数の走査信号線と、前記複数のデータ信号線と前記複数の走査信号線との交差点にそれぞれ対応してマトリクス状に配置された複数の画素形成部と、前記複数の画素形成部に共通的に設けられた共通電極とを備え、各画素形成部は対応する交差点を通過する走査信号線が選択されているときに対応する交差点を通過するデータ信号線の電圧を画素値として取り込むアクティブマトリクス型の液晶表示装置であって、
表示すべき画像を表す複数のデータ信号を前記複数のデータ信号線にそれぞれ印加し、かつ前記複数のデータ信号の極性を各フレーム期間内で所定期間毎に反転させるデータ信号線駆動回路と、
前記データ信号線駆動回路の内部または外部に設けられ、前記複数のデータ信号の極性が反転する時に所定の黒信号挿入期間だけ各データ信号線の電圧を黒表示に相当する電圧とする黒信号挿入回路と、
有効走査期間において前記複数のデータ信号線の電圧が画素値として取り込まれるように所定期間だけ第２の論理レベルとなり該所定期間以外の期間には第１の論理レベルとなる通常用波形と前記複数のデータ信号線の電圧が黒表示に相当する電圧になっている期間のうちの所定期間だけ第２の論理レベルとなり該所定期間以外の期間には第１の論理レベルとなる黒挿入用波形とが繰り返される複数の出力制御信号を出力する表示制御回路と、
前記表示制御回路から出力された複数の出力制御信号をそれぞれ受け取る複数個の部分回路からなり、前記複数の走査信号線に走査信号を印加する走査信号線駆動回路とを備え、
前記表示制御回路は、各部分回路に接続された走査信号線のいずれかが黒表示のために選択状態とされるべき期間には、当該部分回路が受け取る出力制御信号の波形を前記黒挿入用波形とし、
各部分回路は、当該部分回路に接続された走査信号線のそれぞれが各フレーム期間において少なくとも１回は前記黒信号挿入期間以外の期間である有効走査期間に選択状態となり、当該選択状態となった走査信号線は非選択状態に変化した時点から所定の画素値保持期間が経過した後であって次のフレーム期間における前記有効走査期間に選択状態となる前に少なくとも１回は前記黒信号挿入期間に選択状態となるように、前記出力制御信号に基づいて当該部分回路に接続された走査信号線に走査信号を印加することを特徴とする、液晶表示装置。
【請求項２】
前記表示制御回路は、
各部分回路に接続された走査信号線のいずれかが黒表示のために選択状態とされるべき期間となる前に、当該部分回路が受け取る出力制御信号の波形を前記通常用波形から前記黒挿入用波形に切り換え、
各部分回路に接続された走査信号線のいずれかが黒表示のために選択状態とされるべき期間よりも後に、当該部分回路が受け取る出力制御信号の波形を前記黒挿入用波形から前記通常用波形に切り換えることを特徴とする、請求項１に記載の液晶表示装置。
【請求項３】
各部分回路は、
当該部分回路に接続された走査信号線に印加すべき走査信号を制御するための内部信号であって、各走査信号線が選択状態とされる期間を含む所定期間に第１の論理レベルとなり、該所定期間以外の期間には第２の論理レベルとなる、当該部分回路に接続された複数の走査信号線にそれぞれ対応する複数の内部信号を生成し、
各走査信号線に対応する内部信号が第１の論理レベルであって当該部分回路が受け取った出力制御信号が第２の論理レベルである時に当該走査信号線が選択状態となるように当該部分回路に接続された複数の走査信号線に走査信号を印加することを特徴とする、請求項１または２に記載の液晶表示装置。
【請求項４】
各部分回路は、
入力端および出力端を有し、当該入力端に与えられるパルスを順次出力端に向かって転送するシフトレジスタと、
前記シフトレジスタに供給すべきクロック信号のためのクロック用入力端子と、
当該部分回路に与えられる出力制御信号のための出力制御用入力端子と、
前記シフトレジスタの各段の出力信号である前記内部信号と、前記クロック用入力端子に与えられるクロック信号と、前記出力制御用入力端子に与えられる出力制御信号とに基づき、当該部分回路から出力すべき走査信号に対応するパルス信号を生成する組合せ論理回路と
を含み、
前記複数個の部分回路は、異なる部分回路におけるシフトレジスタの入力端とシフトレジスタの出力端とを繋ぐことによって縦続接続されており、
前記表示制御回路は、前記複数個の部分回路のクロック用入力端子には共通に所定のクロック信号を与えることを特徴とする、請求項３に記載の液晶表示装置。
【請求項５】
前記データ信号線駆動回路は、互いに隣接するデータ信号線にそれぞれ印加されるべきデータ信号の極性が互いに異なるように前記複数のデータ信号を生成し、
前記黒信号挿入回路は、前記黒信号挿入期間において各データ信号線をそれに隣接するデータ信号線に短絡させることを特徴とする、請求項１から４までのいずれか１項に記載の液晶表示装置。
【請求項６】
前記黒信号挿入回路は、前記黒信号挿入期間において各データ信号線を前記共通電極に短絡させることを特徴とする、請求項１から４までのいずれか１項に記載の液晶表示装置。
【請求項７】
複数のデータ信号線と、前記複数のデータ信号線と交差する複数の走査信号線と、前記複数のデータ信号線と前記複数の走査信号線との交差点にそれぞれ対応してマトリクス状に配置された複数の画素形成部と、前記複数の画素形成部に共通的に設けられた共通電極とを備え、各画素形成部は対応する交差点を通過する走査信号線が選択されているときに対応する交差点を通過するデータ信号線の電圧を画素値として取り込むアクティブマトリクス型の液晶表示装置であって、
表示すべき画像を表す複数のデータ信号を前記複数のデータ信号線にそれぞれ印加し、かつ前記複数のデータ信号の極性を各フレーム期間内で所定期間毎に反転させるデータ信号線駆動回路と、
前記データ信号線駆動回路の内部または外部に設けられ、前記複数のデータ信号の極性が反転する時に所定の黒信号挿入期間だけ各データ信号線の電圧を黒表示に相当する電圧とする黒信号挿入回路と、
有効走査期間において前記複数のデータ信号線の電圧が画素値として取り込まれるように所定期間だけ第２の論理レベルとなり該所定期間以外の期間には第１の論理レベルとなる第１の出力制御信号と前記複数のデータ信号線の電圧が黒表示に相当する電圧になっている期間のうちの所定期間だけ第２の論理レベルとなり該所定期間以外の期間には第１の論理レベルとなる第２の出力制御信号とを出力する表示制御回路と、
前記表示制御回路から出力された第１および第２の出力制御信号をそれぞれ受け取り、該受け取った第１および第２の出力制御信号のうちのいずれかを選択する切換スイッチを有する複数個の部分回路からなる、前記複数の走査信号線に走査信号を印加する走査信号線駆動回路とを備え、
前記表示制御回路は、各部分回路に接続された走査信号線のいずれかが黒表示のために選択状態とされるべき期間には、当該部分回路の切換スイッチによって前記第２の出力制御信号が選択されるように、各部分回路の切換スイッチを制御する複数の切換制御信号を出力し、
各部分回路は、当該部分回路に接続された走査信号線のそれぞれが各フレーム期間において少なくとも１回は前記黒信号挿入期間以外の期間である有効走査期間に選択状態となり、当該選択状態となった走査信号線は非選択状態に変化した時点から所定の画素値保持期間が経過した後であって次のフレーム期間における前記有効走査期間に選択状態となる前に少なくとも１回は前記黒信号挿入期間に選択状態となるように、前記切換スイッチによって選択された第１または第２の出力制御信号に基づいて、当該部分回路に接続された走査信号線に走査信号を印加することを特徴とする、液晶表示装置。
【請求項８】
前記表示制御回路は、各部分回路に接続された走査信号線のいずれかが黒表示のために選択状態とされるべき期間となる前に当該部分回路の切換スイッチによって前記第２の出力制御信号が選択され、各部分回路に接続された走査信号線のいずれかが黒表示のために選択状態とされるべき期間よりも後に当該部分回路の切換スイッチによって前記第１の出力制御信号が選択されるように、前記複数の切換制御信号を出力することを特徴とする、請求項７に記載の液晶表示装置。
【請求項９】
各部分回路は、
当該部分回路に接続された走査信号線に印加すべき走査信号を制御するための内部信号であって、各走査信号線が選択状態とされる期間を含む所定期間に第１の論理レベルとなり、該所定期間以外の期間には第２の論理レベルとなる、当該部分回路に接続された複数の走査信号線にそれぞれ対応する複数の内部信号を生成し、
各走査信号線に対応する内部信号が第１の論理レベルであって当該部分回路の切換スイッチによって選択された前記第１または第２の出力制御信号が第２の論理レベルである時に当該走査信号線が選択状態となるように当該部分回路に接続された複数の走査信号線に走査信号を印加することを特徴とする、請求項７または８に記載の液晶表示装置。
【請求項１０】
各部分回路は、
入力端および出力端を有し、当該入力端に与えられるパルスを順次出力端に向かって転送するシフトレジスタと、
前記シフトレジスタに供給すべきクロック信号のためのクロック用入力端子と、
当該部分回路に与えられる前記第１および第２の出力制御信号のための第１および第２の出力制御用入力端子と、
前記シフトレジスタの各段の出力信号と、前記クロック用入力端子に与えられるクロック信号と、前記切換スイッチによって選択された第１または第２の出力制御信号とに基づき、当該部分回路から出力すべき走査信号に対応するパルス信号を生成する組合せ論理回路と
を含み、
前記複数個の部分回路は、異なる部分回路におけるシフトレジスタの入力端とシフトレジスタの出力端とを繋ぐことによって縦続接続されており、
前記表示制御回路は、
前記複数個の部分回路のクロック用入力端子には共通に所定のクロック信号を与え、
前記複数個の部分回路の第１の出力制御用入力端子には共通に前記第１の出力制御信号を与えると共に、前記複数個の部分回路の第２の出力制御用入力端子には共通に前記第２の出力制御信号を与えることを特徴とする、請求項９に記載の液晶表示装置。
【請求項１１】
前記データ信号線駆動回路は、互いに隣接するデータ信号線にそれぞれ印加されるべきデータ信号の極性が互いに異なるように前記複数のデータ信号を生成し、
前記黒信号挿入回路は、前記黒信号挿入期間において各データ信号線をそれに隣接するデータ信号線に短絡させることを特徴とする、請求項７から１０までのいずれか１項に記載の液晶表示装置。
【請求項１２】
前記黒信号挿入回路は、前記黒信号挿入期間において各データ信号線を前記共通電極に短絡させることを特徴とする、請求項７から１１までのいずれか１項に記載の液晶表示装置。
【請求項１３】
複数のデータ信号線と、前記複数のデータ信号線と交差する複数の走査信号線と、前記複数のデータ信号線と前記複数の走査信号線との交差点にそれぞれ対応してマトリクス状に配置された複数の画素形成部と、前記複数の走査信号線に走査信号を印加するための複数個の部分回路からなる走査信号線駆動回路と、前記複数の画素形成部に共通的に設けられた共通電極とを備え、各画素形成部は対応する交差点を通過する走査信号線が選択されているときに対応する交差点を通過するデータ信号線の電圧を画素値として取り込むアクティブマトリクス型の液晶表示装置の駆動方法であって、
表示すべき画像を表す複数のデータ信号を前記複数のデータ信号線にそれぞれ印加し、かつ前記複数のデータ信号の極性を各フレーム期間内で所定期間毎に反転させるデータ信号線駆動ステップと、
前記複数のデータ信号の極性が反転する時に所定の黒信号挿入期間だけ各データ信号線の電圧を黒表示に相当する電圧とする黒信号挿入ステップと、
有効走査期間において前記複数のデータ信号線の電圧が画素値として取り込まれるように所定期間だけ第２の論理レベルとなり該所定期間以外の期間には第１の論理レベルとなる通常用波形と前記複数のデータ信号線の電圧が黒表示に相当する電圧になっている期間のうちの所定期間だけ第２の論理レベルとなり該所定期間以外の期間には第１の論理レベルとなる黒挿入用波形とが繰り返される複数の出力制御信号を出力する表示制御ステップと、
前記複数の走査信号線に走査信号を印加する走査信号線駆動ステップとを備え
前記表示制御ステップでは、各部分回路に接続された走査信号線のいずれかが黒表示のために選択状態とされるべき期間には、当該部分回路の受け取る出力制御信号の波形が前記黒挿入用波形とされ、
前記走査信号線駆動ステップでは、各部分回路に接続された走査信号線のそれぞれが各フレーム期間において少なくとも１回は前記黒信号挿入期間以外の期間である有効走査期間に選択状態とされ、当該選択状態となった走査信号線は非選択状態に変化した時点から所定の画素値保持期間が経過した後であって次のフレーム期間における前記有効走査期間に選択状態となる前に少なくとも１回は前記黒信号挿入期間に選択状態とされるように、前記出力制御信号に基づいて当該部分回路に接続された走査信号線に走査信号が印加されることを特徴とする、駆動方法。
【請求項１４】
前記表示制御ステップでは、
各部分回路に接続された走査信号線のいずれかが黒表示のために選択状態とされるべき期間となる前に、当該各部分回路が受け取る前記出力制御信号の波形が前記通常用波形から前記黒挿入用波形に切り換えられ、
各部分回路に接続された走査信号線のいずれかが黒表示のために選択状態とされるべき期間よりも後に、当該各部分回路が受け取る前記出力制御信号の波形が前記黒挿入用波形から前記通常用波形に切り換えられることを特徴とする、請求項１３に記載の駆動方法。
【請求項１５】
複数のデータ信号線と、前記複数のデータ信号線と交差する複数の走査信号線と、前記複数のデータ信号線と前記複数の走査信号線との交差点にそれぞれ対応してマトリクス状に配置された複数の画素形成部と、前記複数の走査信号線に走査信号を印加するための複数個の部分回路からなる走査信号線駆動回路と、前記複数の画素形成部に共通的に設けられた共通電極とを備え、各画素形成部は対応する交差点を通過する走査信号線が選択されているときに対応する交差点を通過するデータ信号線の電圧を画素値として取り込むアクティブマトリクス型の液晶表示装置の駆動方法であって、
表示すべき画像を表す複数のデータ信号を前記複数のデータ信号線にそれぞれ印加し、かつ前記複数のデータ信号の極性を各フレーム期間内で所定期間毎に反転させるデータ信号線駆動ステップと、
前記複数のデータ信号の極性が反転する時に所定の黒信号挿入期間だけ各データ信号線の電圧を黒表示に相当する電圧とする黒信号挿入ステップと、
有効走査期間において前記複数のデータ信号線の電圧が画素値として取り込まれるように所定期間だけ第２の論理レベルとなり該所定期間以外の期間には第１の論理レベルとなる第１の出力制御信号と前記複数のデータ信号線の電圧が黒表示に相当する電圧になっている期間のうちの所定期間だけ第２の論理レベルとなり該所定期間以外の期間には第１の論理レベルとなる第２の出力制御信号とを出力して前記複数個の部分回路に与える表示制御ステップと、
前記複数の走査信号線に走査信号を印加する走査信号線駆動ステップと、
各部分回路において、前記第１および第２の出力制御信号のうちのいずれかを選択する切換ステップとを備え、
前記表示制御ステップでは、各部分回路に接続された走査信号線のいずれかが黒表示のために選択状態とされるべき期間には前記切換ステップにおいて当該部分回路で前記第２の出力制御信号が選択されるように、各部分回路に与えるべき切換制御信号が出力され、
前記走査信号線駆動ステップでは、各部分回路に接続された走査信号線のそれぞれが各フレーム期間において少なくとも１回は前記黒信号挿入期間以外の期間である有効走査期間に選択状態とされ、当該選択状態となった走査信号線は非選択状態に変化した時点から所定の画素値保持期間が経過した後であって次のフレーム期間における前記有効走査期間に選択状態となる前に少なくとも１回は前記黒信号挿入期間に選択状態とされるように、前記第１の出力制御信号と前記第２の出力制御信号と前記切換制御信号とに基づいて当該部分回路に接続された走査信号線に走査信号が印加されることを特徴とする、駆動方法。
【請求項１６】
前記表示制御ステップでは、各部分回路に接続された走査信号線のいずれかが黒表示のために選択状態とされるべき期間となる前に前記切換ステップにおいて前記第２の出力制御信号が選択され、各部分回路に接続された走査信号線のいずれかが黒表示のために選択状態とされるべき期間よりも後に前記切換ステップにおいて前記第１の出力制御信号が選択されるように、前記複数の切換制御信号が出力されることを特徴とする、請求項１５に記載の駆動方法。
【発明の詳細な説明】
【技術分野】
【０００１】
本発明は、表示を擬似的にインパルス化する液晶表示装置ならびにその駆動方法に関する。
【背景技術】
【０００２】
ＣＲＴ（Ｃａｔｈｏｄｅ  Ｒａｙ  Ｔｕｂｅ：陰極線管）のようなインパルス型の表示装置においては、個々の画素に着目すると、画像が表示される点灯期間と画像が表示されない消灯期間とが交互に繰り返される。例えば動画の表示が行われた場合にも、１画面分の画像の書き換えが行われる際に消灯期間が挿入されるため、人間の視覚に動いている物体の残像が生じることがない。このため、背景と物体とが明瞭に見分けられ、違和感なく動画が視認される。
【０００３】
これに対し、ＴＦＴ（Ｔｈｉｎ  Ｆｉｌｍ  Ｔｒａｎｓｉｓｔｏｒ：薄膜トランジスタ）を使用した液晶表示装置のようなホールド型の表示装置では、個々の画素の輝度は各画素容量に保持される電圧によって決まり、画素容量における保持電圧は、一旦書き換えられると１フレーム期間維持される。このようにしてホールド型の表示装置では、画素データとして画素容量に保持すべき電圧は、一旦書き込まれると次に書き換えられるまで保持され、その結果、各フレームの画像は、その１フレーム前の画像と時間的に近接することになる。これにより、動画が表示される場合に、人間の視覚には動いている物体の残像が生じる。例えば図１２に示すように、動いている物体を表す画像ＯＩが尾を引くように残像ＡＩが生じる（以下、この残像を「尾引残像」という）。
【０００４】
アクティブマトリクス型の液晶表示装置等のようなホールド型の表示装置では、動画表示の際にこのような尾引残像が生じるので、主として動画表示が行われるテレビ等のディスプレイには従来よりインパルス型の表示装置が採用されるのが一般的である。ところが、近年、テレビ等のディスプレイについて軽量化や薄型化が強く要求されており、そのようなディスプレイについて軽量化や薄型化が容易な液晶表示装置のようなホールド型の表示装置の採用が急速に進んでいる。
【０００５】
また、近年の表示装置では、一般的にゲートドライバおよびソースドライバはそれぞれ複数個の駆動用ＩＣ（Ｉｎｔｅｇｒａｔｅｄ  Ｃｉｒｃｕｉｔ）から構成されている。このような表示装置においては、各駆動用ＩＣに対応する表示領域の境界部で表示上の問題が生じることが多い。そのような表示上の問題を解決する技術として、例えば、ゲートドライバ用ＩＣの境界部における輝度差をなくすために映像信号の垂直同期信号の位相をずらす技術（特許文献１）や分割ブロックの境界部に生じる縞を軽減するために第１（上側）の信号線駆動回路と第２（下側）の信号線駆動回路とを異なる分割ブロック数にする技術（特許文献２）が知られている。
【特許文献１】特開平１１−１０２１７２号公報
【特許文献２】特開２００３−９９０１２号公報
【特許文献３】特開２００３−６６９１８号公報
【発明の開示】
【発明が解決しようとする課題】
【０００６】
アクティブマトリクス型の液晶表示装置等のようなホールド型の表示装置において上記の尾引残像を改善する方法として、１フレーム期間中に黒表示を行う期間を挿入する（以下「黒挿入」という）等により液晶表示装置における表示を（擬似的に）インパルス化するという方法が知られている（例えば特許文献３）。
【０００７】
しかし、ホールド型表示装置としてのアクティブマトリクス型液晶表示装置において、従来の方法によってインパルス化を実現しようとすると、黒挿入のために駆動回路等が複雑化すると共に、駆動回路の動作周波数も増大し、画素容量の充電のために確保できる時間も短くなる。また、駆動用ＩＣの境界部において表示上の問題が生じることのないように黒挿入を行う必要がある。
【０００８】
そこで本発明は、駆動回路等の複雑化や動作周波数の増大を抑えつつ、駆動用ＩＣの境界部でも表示上の問題が生じることなく黒挿入が行われ、表示を擬似的にインパルス化できるアクティブマトリクス型の液晶表示装置およびその駆動方法を提供することを目的とする。
【課題を解決するための手段】
【０００９】
第１の発明は、複数のデータ信号線と、前記複数のデータ信号線と交差する複数の走査信号線と、前記複数のデータ信号線と前記複数の走査信号線との交差点にそれぞれ対応してマトリクス状に配置された複数の画素形成部と、前記複数の画素形成部に共通的に設けられた共通電極とを備え、各画素形成部は対応する交差点を通過する走査信号線が選択されているときに対応する交差点を通過するデータ信号線の電圧を画素値として取り込むアクティブマトリクス型の液晶表示装置であって、
表示すべき画像を表す複数のデータ信号を前記複数のデータ信号線にそれぞれ印加し、かつ前記複数のデータ信号の極性を各フレーム期間内で所定期間毎に反転させるデータ信号線駆動回路と、
前記データ信号線駆動回路の内部または外部に設けられ、前記複数のデータ信号の極性が反転する時に所定の黒信号挿入期間だけ各データ信号線の電圧を黒表示に相当する電圧とする黒信号挿入回路と、
有効走査期間において前記複数のデータ信号線の電圧が画素値として取り込まれるように所定期間だけ第２の論理レベルとなり該所定期間以外の期間には第１の論理レベルとなる通常用波形と前記複数のデータ信号線の電圧が黒表示に相当する電圧になっている期間のうちの所定期間だけ第２の論理レベルとなり該所定期間以外の期間には第１の論理レベルとなる黒挿入用波形とが繰り返される複数の出力制御信号を出力する表示制御回路と、
前記表示制御回路から出力された複数の出力制御信号をそれぞれ受け取る複数個の部分回路からなり、前記複数の走査信号線に走査信号を印加する走査信号線駆動回路とを備え、
前記表示制御回路は、各部分回路に接続された走査信号線のいずれかが黒表示のために選択状態とされるべき期間には、当該部分回路が受け取る出力制御信号の波形を前記黒挿入用波形とし、
各部分回路は、当該部分回路に接続された走査信号線のそれぞれが各フレーム期間において少なくとも１回は前記黒信号挿入期間以外の期間である有効走査期間に選択状態となり、当該選択状態となった走査信号線は非選択状態に変化した時点から所定の画素値保持期間が経過した後であって次のフレーム期間における前記有効走査期間に選択状態となる前に少なくとも１回は前記黒信号挿入期間に選択状態となるように、前記出力制御信号に基づいて当該部分回路に接続された走査信号線に走査信号を印加することを特徴とする。
【００１０】
第２の発明は、第１の発明において、
前記表示制御回路は、
各部分回路に接続された走査信号線のいずれかが黒表示のために選択状態とされるべき期間となる前に、当該部分回路が受け取る出力制御信号の波形を前記通常用波形から前記黒挿入用波形に切り換え、
各部分回路に接続された走査信号線のいずれかが黒表示のために選択状態とされるべき期間よりも後に、当該部分回路が受け取る出力制御信号の波形を前記黒挿入用波形から前記通常用波形に切り換えることを特徴とする。
【００１１】
第３の発明は、第１または第２の発明において、
各部分回路は、
当該部分回路に接続された走査信号線に印加すべき走査信号を制御するための内部信号であって、各走査信号線が選択状態とされる期間を含む所定期間に第１の論理レベルとなり、該所定期間以外の期間には第２の論理レベルとなる、当該部分回路に接続された複数の走査信号線にそれぞれ対応する複数の内部信号を生成し、
各走査信号線に対応する内部信号が第１の論理レベルであって当該部分回路が受け取った出力制御信号が第２の論理レベルである時に当該走査信号線が選択状態となるように当該部分回路に接続された複数の走査信号線に走査信号を印加することを特徴とする。
【００１２】
第４の発明は、第３の発明において、
各部分回路は、
入力端および出力端を有し、当該入力端に与えられるパルスを順次出力端に向かって転送するシフトレジスタと、
前記シフトレジスタに供給すべきクロック信号のためのクロック用入力端子と、
当該部分回路に与えられる出力制御信号のための出力制御用入力端子と、
前記シフトレジスタの各段の出力信号である前記内部信号と、前記クロック用入力端子に与えられるクロック信号と、前記出力制御用入力端子に与えられる出力制御信号とに基づき、当該部分回路から出力すべき走査信号に対応するパルス信号を生成する組合せ論理回路と
を含み、
前記複数個の部分回路は、異なる部分回路におけるシフトレジスタの入力端とシフトレジスタの出力端とを繋ぐことによって縦続接続されており、
前記表示制御回路は、前記複数個の部分回路のクロック用入力端子には共通に所定のクロック信号を与えることを特徴とする。
【００１３】
第５の発明は、第１から第４までのいずれかの発明において、
前記データ信号線駆動回路は、互いに隣接するデータ信号線にそれぞれ印加されるべきデータ信号の極性が互いに異なるように前記複数のデータ信号を生成し、
前記黒信号挿入回路は、前記黒信号挿入期間において各データ信号線をそれに隣接するデータ信号線に短絡させることを特徴とする。
【００１４】
第６の発明は、第１から第４までのいずれかの発明において、
前記黒信号挿入回路は、前記黒信号挿入期間において各データ信号線を前記共通電極に短絡させることを特徴とする。
【００１５】
第７の発明は、複数のデータ信号線と、前記複数のデータ信号線と交差する複数の走査信号線と、前記複数のデータ信号線と前記複数の走査信号線との交差点にそれぞれ対応してマトリクス状に配置された複数の画素形成部と、前記複数の画素形成部に共通的に設けられた共通電極とを備え、各画素形成部は対応する交差点を通過する走査信号線が選択されているときに対応する交差点を通過するデータ信号線の電圧を画素値として取り込むアクティブマトリクス型の液晶表示装置であって、
表示すべき画像を表す複数のデータ信号を前記複数のデータ信号線にそれぞれ印加し、かつ前記複数のデータ信号の極性を各フレーム期間内で所定期間毎に反転させるデータ信号線駆動回路と、
前記データ信号線駆動回路の内部または外部に設けられ、前記複数のデータ信号の極性が反転する時に所定の黒信号挿入期間だけ各データ信号線の電圧を黒表示に相当する電圧とする黒信号挿入回路と、
有効走査期間において前記複数のデータ信号線の電圧が画素値として取り込まれるように所定期間だけ第２の論理レベルとなり該所定期間以外の期間には第１の論理レベルとなる第１の出力制御信号と前記複数のデータ信号線の電圧が黒表示に相当する電圧になっている期間のうちの所定期間だけ第２の論理レベルとなり該所定期間以外の期間には第１の論理レベルとなる第２の出力制御信号とを出力する表示制御回路と、
前記表示制御回路から出力された第１および第２の出力制御信号をそれぞれ受け取り、該受け取った第１および第２の出力制御信号のうちのいずれかを選択する切換スイッチを有する複数個の部分回路からなる、前記複数の走査信号線に走査信号を印加する走査信号線駆動回路とを備え、
前記表示制御回路は、各部分回路に接続された走査信号線のいずれかが黒表示のために選択状態とされるべき期間には、当該部分回路の切換スイッチによって前記第２の出力制御信号が選択されるように、各部分回路の切換スイッチを制御する複数の切換制御信号を出力し、
各部分回路は、当該部分回路に接続された走査信号線のそれぞれが各フレーム期間において少なくとも１回は前記黒信号挿入期間以外の期間である有効走査期間に選択状態となり、当該選択状態となった走査信号線は非選択状態に変化した時点から所定の画素値保持期間が経過した後であって次のフレーム期間における前記有効走査期間に選択状態となる前に少なくとも１回は前記黒信号挿入期間に選択状態となるように、前記切換スイッチによって選択された第１または第２の出力制御信号に基づいて、当該部分回路に接続された走査信号線に走査信号を印加することを特徴とする。
【００１６】
第８の発明は、第７の発明において、
前記表示制御回路は、各部分回路に接続された走査信号線のいずれかが黒表示のために選択状態とされるべき期間となる前に当該部分回路の切換スイッチによって前記第２の出力制御信号が選択され、各部分回路に接続された走査信号線のいずれかが黒表示のために選択状態とされるべき期間よりも後に当該部分回路の切換スイッチによって前記第１の出力制御信号が選択されるように、前記複数の切換制御信号を出力することを特徴とする。
【００１７】
第９の発明は、第７または第８の発明において、
各部分回路は、
当該部分回路に接続された走査信号線に印加すべき走査信号を制御するための内部信号であって、各走査信号線が選択状態とされる期間を含む所定期間に第１の論理レベルとなり、該所定期間以外の期間には第２の論理レベルとなる、当該部分回路に接続された複数の走査信号線にそれぞれ対応する複数の内部信号を生成し、
各走査信号線に対応する内部信号が第１の論理レベルであって当該部分回路の切換スイッチによって選択された前記第１または第２の出力制御信号が第２の論理レベルである時に当該走査信号線が選択状態となるように当該部分回路に接続された複数の走査信号線に走査信号を印加することを特徴とする。
【００１８】
第１０の発明は、第９の発明において、
各部分回路は、
入力端および出力端を有し、当該入力端に与えられるパルスを順次出力端に向かって転送するシフトレジスタと、
前記シフトレジスタに供給すべきクロック信号のためのクロック用入力端子と、
当該部分回路に与えられる前記第１および第２の出力制御信号のための第１および第２の出力制御用入力端子と、
前記シフトレジスタの各段の出力信号と、前記クロック用入力端子に与えられるクロック信号と、前記切換スイッチによって選択された第１または第２の出力制御信号とに基づき、当該部分回路から出力すべき走査信号に対応するパルス信号を生成する組合せ論理回路と
を含み、
前記複数個の部分回路は、異なる部分回路におけるシフトレジスタの入力端とシフトレジスタの出力端とを繋ぐことによって縦続接続されており、
前記表示制御回路は、
前記複数個の部分回路のクロック用入力端子には共通に所定のクロック信号を与え、
前記複数個の部分回路の第１の出力制御用入力端子には共通に前記第１の出力制御信号を与えると共に、前記複数個の部分回路の第２の出力制御用入力端子には共通に前記第２の出力制御信号を与えることを特徴とする。
【００１９】
第１１の発明は、第７から第１０までのいずれかの発明において、
前記データ信号線駆動回路は、互いに隣接するデータ信号線にそれぞれ印加されるべきデータ信号の極性が互いに異なるように前記複数のデータ信号を生成し、
前記黒信号挿入回路は、前記黒信号挿入期間において各データ信号線をそれに隣接するデータ信号線に短絡させることを特徴とする。
【００２０】
第１２の発明は、第７から第１１までのいずれかの発明において、
前記黒信号挿入回路は、前記黒信号挿入期間において各データ信号線を前記共通電極に短絡させることを特徴とする。
【００２１】
第１３の発明は、複数のデータ信号線と、前記複数のデータ信号線と交差する複数の走査信号線と、前記複数のデータ信号線と前記複数の走査信号線との交差点にそれぞれ対応してマトリクス状に配置された複数の画素形成部と、前記複数の走査信号線に走査信号を印加するための複数個の部分回路からなる走査信号線駆動回路と、前記複数の画素形成部に共通的に設けられた共通電極とを備え、各画素形成部は対応する交差点を通過する走査信号線が選択されているときに対応する交差点を通過するデータ信号線の電圧を画素値として取り込むアクティブマトリクス型の液晶表示装置の駆動方法であって、
表示すべき画像を表す複数のデータ信号を前記複数のデータ信号線にそれぞれ印加し、かつ前記複数のデータ信号の極性を各フレーム期間内で所定期間毎に反転させるデータ信号線駆動ステップと、
前記複数のデータ信号の極性が反転する時に所定の黒信号挿入期間だけ各データ信号線の電圧を黒表示に相当する電圧とする黒信号挿入ステップと、
有効走査期間において前記複数のデータ信号線の電圧が画素値として取り込まれるように所定期間だけ第２の論理レベルとなり該所定期間以外の期間には第１の論理レベルとなる通常用波形と前記複数のデータ信号線の電圧が黒表示に相当する電圧になっている期間のうちの所定期間だけ第２の論理レベルとなり該所定期間以外の期間には第１の論理レベルとなる黒挿入用波形とが繰り返される複数の出力制御信号を出力する表示制御ステップと、
前記複数の走査信号線に走査信号を印加する走査信号線駆動ステップとを備え
前記表示制御ステップでは、各部分回路に接続された走査信号線のいずれかが黒表示のために選択状態とされるべき期間には、当該部分回路の受け取る出力制御信号の波形が前記黒挿入用波形とされ、
前記走査信号線駆動ステップでは、各部分回路に接続された走査信号線のそれぞれが各フレーム期間において少なくとも１回は前記黒信号挿入期間以外の期間である有効走査期間に選択状態とされ、当該選択状態となった走査信号線は非選択状態に変化した時点から所定の画素値保持期間が経過した後であって次のフレーム期間における前記有効走査期間に選択状態となる前に少なくとも１回は前記黒信号挿入期間に選択状態とされるように、前記出力制御信号に基づいて当該部分回路に接続された走査信号線に走査信号が印加されることを特徴とする。
【００２２】
第１４の発明は、第１３の発明において、
前記表示制御ステップでは、
各部分回路に接続された走査信号線のいずれかが黒表示のために選択状態とされるべき期間となる前に、当該各部分回路が受け取る前記出力制御信号の波形が前記通常用波形から前記黒挿入用波形に切り換えられ、
各部分回路に接続された走査信号線のいずれかが黒表示のために選択状態とされるべき期間よりも後に、当該各部分回路が受け取る前記出力制御信号の波形が前記黒挿入用波形から前記通常用波形に切り換えられることを特徴とする。
【００２３】
第１５の発明は、複数のデータ信号線と、前記複数のデータ信号線と交差する複数の走査信号線と、前記複数のデータ信号線と前記複数の走査信号線との交差点にそれぞれ対応してマトリクス状に配置された複数の画素形成部と、前記複数の走査信号線に走査信号を印加するための複数個の部分回路からなる走査信号線駆動回路と、前記複数の画素形成部に共通的に設けられた共通電極とを備え、各画素形成部は対応する交差点を通過する走査信号線が選択されているときに対応する交差点を通過するデータ信号線の電圧を画素値として取り込むアクティブマトリクス型の液晶表示装置の駆動方法であって、
表示すべき画像を表す複数のデータ信号を前記複数のデータ信号線にそれぞれ印加し、かつ前記複数のデータ信号の極性を各フレーム期間内で所定期間毎に反転させるデータ信号線駆動ステップと、
前記複数のデータ信号の極性が反転する時に所定の黒信号挿入期間だけ各データ信号線の電圧を黒表示に相当する電圧とする黒信号挿入ステップと、
有効走査期間において前記複数のデータ信号線の電圧が画素値として取り込まれるように所定期間だけ第２の論理レベルとなり該所定期間以外の期間には第１の論理レベルとなる第１の出力制御信号と前記複数のデータ信号線の電圧が黒表示に相当する電圧になっている期間のうちの所定期間だけ第２の論理レベルとなり該所定期間以外の期間には第１の論理レベルとなる第２の出力制御信号とを出力して前記複数個の部分回路に与える表示制御ステップと、
前記複数の走査信号線に走査信号を印加する走査信号線駆動ステップと、
各部分回路において、前記第１および第２の出力制御信号のうちのいずれかを選択する切換ステップとを備え、
前記表示制御ステップでは、各部分回路に接続された走査信号線のいずれかが黒表示のために選択状態とされるべき期間には前記切換ステップにおいて当該部分回路で前記第２の出力制御信号が選択されるように、各部分回路に与えるべき切換制御信号が出力され、
前記走査信号線駆動ステップでは、各部分回路に接続された走査信号線のそれぞれが各フレーム期間において少なくとも１回は前記黒信号挿入期間以外の期間である有効走査期間に選択状態とされ、当該選択状態となった走査信号線は非選択状態に変化した時点から所定の画素値保持期間が経過した後であって次のフレーム期間における前記有効走査期間に選択状態となる前に少なくとも１回は前記黒信号挿入期間に選択状態とされるように、前記第１の出力制御信号と前記第２の出力制御信号と前記切換制御信号とに基づいて当該部分回路に接続された走査信号線に走査信号が印加されることを特徴とする。
【００２４】
第１６の発明は、第１５の発明において、
前記表示制御ステップでは、各部分回路に接続された走査信号線のいずれかが黒表示のために選択状態とされるべき期間となる前に前記切換ステップにおいて前記第２の出力制御信号が選択され、各部分回路に接続された走査信号線のいずれかが黒表示のために選択状態とされるべき期間よりも後に前記切換ステップにおいて前記第１の出力制御信号が選択されるように、前記複数の切換制御信号が出力されることを特徴とする。
【発明の効果】
【００２５】
上記第１の発明によれば、データ信号の極性反転時の黒信号挿入期間には各データ信号線の電圧は黒表示に相当する値となっており、各走査信号線は、画素値書込のために有効走査期間で選択されてから所定の画素値保持期間が経過した後に少なくとも１回は黒信号挿入期間で選択状態となる。これにより、次に画素値書込のために有効走査期間で選択状態となるまでは黒表示の期間となる。また、各部分回路に接続された走査信号線のいずれかが黒表示のために選択状態とされるべき期間には当該部分回路に入力される出力制御信号の波形は黒挿入用波形となり、各部分回路ではその出力制御信号に基づいて走査信号が出力される。このため、全ての表示ラインにつき同じように黒電圧の印加が行われ、かつ、同じ期間だけ黒表示が維持される。したがって、画素値書込のための画素容量での充電期間を短縮することなく、十分な黒挿入期間の確保によるインパルス化によって動画像の表示品質を改善することができる。
【００２６】
上記第２の発明によれば、各部分回路に接続された走査信号線のいずれかが黒表示のために選択状態とされるべき期間の前後に出力制御信号についての黒挿入用波形と通常用波形との切換が行われる。このため、各走査信号線について確実に黒挿入が行われ、例えば部分回路の境界部において黒挿入が不十分になることが抑止される。
【００２７】
上記第３の発明によれば、例えば、第１の論理レベルとしてハイレベルの内部信号が生成され第２の論理レベルとしてローレベルの内部信号が生成されるように表示制御回路から各部分回路に出力制御信号を与えることにより、上記第１または第２の発明と同様、画素値書込のための画素容量での充電期間を短縮することなく、また、部分回路の境界部等において黒挿入が不十分なものとなることなく、十分な黒挿入期間の確保によるインパルス化によって動画像の表示品質を改善することができる。
【００２８】
上記第４の発明によれば、既存のゲートドライバ用ＩＣチップを部分回路として複数個使用し、画素値書込と黒電圧印加に応じたスタートパルス信号を適切に入力し、かつ、各部分回路毎に出力制御信号を適切に入力することで、黒挿入可能な走査信号線駆動回路を実現することができる。したがって、ゲートドライバ用ＩＣチップを新たに用意することなく、簡易にインパルス駆動を行うことができる。
【００２９】
上記第５の発明によれば、各データ信号線は黒信号挿入期間においてそれに隣接するデータ信号線に短絡することによって黒表示に相当する電圧となり、この電圧に基づいて黒挿入が行われる。したがって、消費電力低減のためにデータ信号の極性反転時に隣接データ信号線を短絡させるドット反転駆動方式の液晶表示装置において、簡易にインパルス化を実現することができる。また、黒挿入のためにデータ信号線駆動回路等の動作速度を上げる必要もない。
【００３０】
上記第６の発明によれば、各データ信号線は黒信号挿入期間において共通電極に短絡することによって黒表示に相当する電圧となり、この電圧に基づいて黒挿入が行われる。したがって、消費電力低減のためにデータ信号の極性反転時に各データ信号を共通電極に短絡させる方式の液晶表示装置において、簡易にインパルス化を実現することができる。
【００３１】
上記第７の発明によれば、上記第１の発明と同様、画素値書込のための画素容量での充電期間を短縮することなく、十分な黒挿入期間の確保によるインパルス化によって動画像の表示品質を改善することができる。
【００３２】
上記第８の発明によれば、上記第２の発明と同様、各走査信号線について確実に黒挿入が行われ、例えば部分回路の境界部において黒挿入が不十分になることが抑止される。
【００３３】
上記第９の発明によれば、上記第３の発明と同様、画素値書込のための画素容量での充電期間を短縮することなく、また、部分回路の境界部等において黒挿入が不十分なものとなることなく、十分な黒挿入期間の確保によるインパルス化によって動画像の表示品質を改善することができる。
【００３４】
上記第１０の発明によれば、２系統の出力制御信号の切り換えを行う切換スイッチを含むゲートドライバ用ＩＣチップを部分回路として複数個使用し、画素値書込と黒電圧印加に応じたスタートパルス信号を適切に入力し、２系統の出力制御信号を各部分回路に共通に入力し、かつ切換スイッチを部分回路毎に個別に制御することで、黒挿入可能な走査信号線駆動回路を実現することができる。したがって、新たな回路を僅かに追加するのみで、簡易にインパルス駆動を行うことができる。
【００３５】
上記第１１の発明によれば、上記第５の発明と同様、消費電力低減のためにデータ信号の極性反転時に隣接データ信号線を短絡させるドット反転駆動方式の液晶表示装置において、簡易にインパルス化を実現することができる。
【００３６】
上記第１２の発明によれば、上記第６の発明と同様、消費電力低減のためにデータ信号の極性反転時に各データ信号を共通電極に短絡させる方式の液晶表示装置において、簡易にインパルス化を実現することができる。
【発明を実施するための最良の形態】
【００３７】
以下、添付図面を参照して本発明の実施形態について説明する。
【００３８】
＜１．全体の構成および動作＞
図１は、本実施形態に係る液晶表示装置の構成をその表示部の等価回路と共に示すブロック図である。この液晶表示装置は、データ信号線駆動回路としてのソースドライバ３００と、走査信号線駆動回路としての第１のゲートドライバ４０１および第２のゲートドライバ４０２と、アクティブマトリクス形の表示部１００と、ソースドライバ３００および第１、第２のゲートドライバ４０１、４０２を制御するための表示制御回路２００とを備えている。なお、本実施形態においては、ソースドライバ３００は１０個のソースドライバ用ＩＣチップからなり、第１のゲートドライバ４０１および第２のゲートドライバ４０２はそれぞれ４個のゲートドライバ用ＩＣチップからなるものとして説明する。
【００３９】
本実施形態における表示部１００は、１０８０本の走査信号線としてのゲートラインＧＬ１〜ＧＬ１０８０と、それらのゲートラインＧＬ１〜ＧＬ１０８０のそれぞれと交差する１９２０本のデータ信号線としてのソースラインＳＬ１〜ＳＬ１９２０と、それらのゲートラインＧＬ１〜ＧＬ１０８０とソースラインＳＬ１〜ＳＬ１９２０との交差点にそれぞれ対応して設けられた複数個（１０８０×１９２０個）の画素形成部とを含む。これらの画素形成部はマトリクス状に配置されて画素アレイを構成し、各画素形成部は、対応する交差点を通過するゲートラインＧＬｊにゲート端子が接続される共に当該交差点を通過するソースラインＳＬｉにソース端子が接続されたスイッチング素子であるＴＦＴ１０と、そのＴＦＴ１０のドレイン端子に接続された画素電極と、上記複数の画素形成部に共通的に設けられた対向電極である共通電極Ｅｃと、上記複数の画素形成部に共通的に設けられ画素電極と共通電極Ｅｃとの間に挟持された液晶層とからなる。そして、画素電極と共通電極Ｅｃとにより形成される液晶容量により、画素容量Ｃｐが構成される。なお通常、画素容量に確実に電圧を保持すべく、液晶容量に並列に補助容量が設けられるが、補助容量は本発明には直接に関係しないのでその説明および図示を省略する。
【００４０】
各画素形成部における画素電極には、後述のように動作するソースドライバ３００および第１、第２のゲートドライバ４０１、４０２により、表示すべき画像に応じた電位が与えられ、共通電極Ｅｃには、図示しない電源回路から所定電位（「共通電極電位」と呼ぶ）Ｖｃｏｍが与えられる。これにより、画素電極と共通電極Ｅｃとの間の電位差に応じた電圧が液晶に印加され、この電圧印加によって液晶層に対する光の透過量が制御されることで画像表示が行われる。ただし、液晶層への電圧印加によって光の透過量を制御するためには偏光板が使用され、本実施形態では、ノーマリブラックとなるように偏光板が配置されているものとする。
【００４１】
表示制御回路２００は、外部の信号源から、表示すべき画像を表すデジタルビデオ信号Ｄｖと、当該デジタルビデオ信号Ｄｖに対応する水平同期信号ＨＳＹおよび垂直同期信号ＶＳＹと、表示動作を制御するための制御信号Ｄｃとを受け取り、それらの信号Ｄｖ，ＨＳＹ，ＶＳＹ，Ｄｃに基づき、そのデジタルビデオ信号Ｄｖの表す画像を表示部１００に表示させるための信号として、データスタートパルス信号ＳＳＰと、データクロック信号ＳＣＫと、短絡制御信号Ｃｓｈと、表示すべき画像を表すデジタル画像信号ＤＡ（ビデオ信号Ｄｖに相当する信号）と、ゲートスタートパルス信号ＧＳＰと、ゲートクロック信号ＧＣＫと、ゲートドライバ出力制御信号ＧＯＥとを生成し出力する。より詳しくは、ビデオ信号Ｄｖを内部メモリで必要に応じてタイミング調整等を行った後に、デジタル画像信号ＤＡとして表示制御回路２００から出力し、そのデジタル画像信号ＤＡの表す画像の各画素に対応するパルスからなる信号としてデータクロック信号ＳＣＫを生成し、水平同期信号ＨＳＹに基づき１水平走査期間毎に所定期間だけハイレベル（Ｈレベル）となる信号としてデータスタートパルス信号ＳＳＰを生成し、垂直同期信号ＶＳＹに基づき１フレーム期間（１垂直走査期間）のうち第１の所定期間および第２の所定期間にＨレベルとなる信号としてゲートスタートパルス信号ＧＳＰを生成し、水平同期信号ＨＳＹに基づきゲートクロック信号ＧＣＫを生成し、水平同期信号ＨＳＹおよび制御信号Ｄｃに基づき短絡制御信号Ｃｓｈおよびゲートドライバ出力制御信号ＧＯＥ（ＧＯＥ１〜ＧＯＥ４）を生成する。
【００４２】
上記のようにして表示制御回路２００において生成された信号のうち、デジタル画像信号ＤＡと短絡制御信号Ｃｓｈとソースドライバ用のスタートパルス信号ＳＳＰおよびクロック信号ＳＣＫとは、ソースドライバ３００に入力され、ゲートドライバ用のスタートパルス信号ＧＳＰおよびクロック信号ＧＣＫとゲートドライバ出力制御信号ＧＯＥとは、第１および第２のゲートドライバ４０１、４０２に入力される。
【００４３】
ソースドライバ３００は、デジタル画像信号ＤＡとソースドライバ用のスタートパルス信号ＳＳＰおよびクロック信号ＳＣＫとに基づき、デジタル画像信号ＤＡの表す画像の各水平走査線における画素値に相当するアナログ電圧としてデータ信号Ｓ（１）〜Ｓ（１９２０）を１水平走査期間毎に順次生成し、これらのデータ信号Ｓ（１）〜Ｓ（１９２０）をソースラインＳＬ１〜ＳＬ１９２０にそれぞれ印加する。本実施形態におけるソースドライバ３００は、液晶層への印加電圧の極性が１フレーム期間毎に反転されると共に各フレーム内において１ゲートライン毎かつ１ソースライン毎にも反転されるようにデータ信号Ｓ（１）〜Ｓ（１９２０）が出力される駆動方式すなわちドット反転駆動方式が採用されている。したがって、ソースドライバ３００は、ソースラインＳＬ１〜ＳＬ１９２０への印加電圧の極性をソースライン毎に反転させ、かつ、各ソースラインＳＬｉに印加されるデータ信号Ｓ（ｉ）の電圧極性を１水平走査期間毎に反転させる。ここで、ソースラインへの印加電圧の極性反転の基準となる電位は、データ信号Ｓ（１）〜Ｓ（１９２０）の直流レベル（直流成分に相当する電位）であり、この直流レベルは、一般的には共通電極Ｅｃの直流レベルとは一致せず、各画素形成部におけるＴＦＴのゲート・ドレイン間の寄生容量Ｃｇｄによるレベルシフト（フィールドスルー電圧）ΔＶｄだけ共通電極Ｅｃの直流レベルと異なる。ただし、寄生容量ＣｇｄによるレベルシフトΔＶｄが液晶の光学的しきい値電圧Ｖｔｈに対して十分に小さい場合には、データ信号Ｓ（１）〜Ｓ（１９２０）の直流レベルは共通電極Ｅｃの直流レベルに等しいとみなせるので、データ信号Ｓ（１）〜Ｓ（１９２０）の極性すなわちソースラインへの印加電圧の極性は共通電極Ｅｃの電位を基準として１水平走査期間毎に反転すると考えてもよい。
【００４４】
また、このソースドライバ３００では、消費電力を低減するためにデータ信号Ｓ（１）〜Ｓ（１９２０）の極性反転時に隣接ソースライン間が短絡されるチャージシェアリング方式が採用されている。このため、ソースドライバ３００においてデータ信号Ｓ（１）〜Ｓ（１９２０）を出力する部分である出力部は、図２に示すように構成されている。すなわち、この出力部は、デジタル画像信号ＤＡに基づき生成されたアナログ電圧信号ｄ（１）〜ｄ（１９２０）を受け取り、これらのアナログ電圧信号ｄ（１）〜ｄ（１９２０）をインピーダンス変換することによって、ソースラインＳＬ１〜ＳＬ１９２０で伝達すべき映像信号としてデータ信号Ｓ（１）〜Ｓ（１９２０）を生成するものであり、このインピーダンス変換のための電圧ホロワとして１９２０個のバッファ３１を有している。各バッファ３１の出力端子にはスイッチング素子としての第１のＭＯＳトランジスタＳＷａが接続され、各バッファ３１からのデータ信号Ｓ（ｉ）は第１のＭＯＳトランジスタＳＷａを介してソースドライバ３００の出力端子から出力される（ｉ＝１，２，…，１９２０）。また、ソースドライバ３００の隣接する出力端子間は、スイッチング素子としての第２のＭＯＳトランジスタＳＷｂによって接続されている。そして、これらの出力端子間の第２のＭＯＳトランジスタＳＷｂのゲート端子には、短絡制御信号Ｃｓｈが与えられ、各バッファ３１の出力端子に接続された第１のＭＯＳトランジスタＳＷａのゲート端子には、インバータ３３の出力信号すなわち短絡制御信号Ｃｓｈの論理反転信号が与えられる。したがって、短絡制御信号Ｃｓｈが非アクティブ（ローレベル）のときには、第１のＭＯＳトランジスタＳＷａがオンし、第２のＭＯＳトランジスタＳＷｂがオフするので、各バッファ３１からのデータ信号は、第１のＭＯＳトランジスタＳＷａを介してソースドライバ３００から出力される。一方、短絡制御信号Ｃｓｈがアクティブ（ハイレベル）のときには、第１のＭＯＳトランジスタＳＷａがオフし、第２のＭＯＳトランジスタＳＷｂがオンするので、各バッファ３１からのデータ信号は出力されず、表示部１００における隣接ソースラインが、第２のＭＯＳトランジスタＳＷｂを介して短絡される。
【００４５】
本実施形態におけるソースドライバ３００では、図３（ａ）に示すように、１水平走査期間（１Ｈ）毎に極性の反転する映像信号としてアナログ電圧信号ｄ（ｉ）が生成され、表示制御回路２００では、図３（ｂ）に示すように、各アナログ電圧信号ｄ（ｉ）の極性の反転時に所定期間（１水平ブランキング期間程度の短い期間）Ｔｓｈだけハイレベル（Ｈレベル）となる短絡制御信号Ｃｓｈが生成される（以下、短絡制御信号ＣｓｈがＨレベルとなる期間を「短絡期間」という）。上記のように、短絡制御信号Ｃｓｈがローレベル（Ｌレベル）のときには各アナログ電圧信号ｄ（ｉ）がデータ信号Ｓ（ｉ）として出力され、短絡制御信号ＣｓｈがＨレベルのときには隣接ソースラインが互いに短絡される。そして本実施形態では、ドット反転駆動が採用されていることから隣接ソースラインの電圧は互いに逆極性であって、しかも、その絶対値はほぼ等しい。したがって、各データ信号Ｓ（ｉ）の値すなわち各ソースラインＳＬｉの電圧は、短絡期間Ｔｓｈにおいて、黒表示に相当する電圧（以下、単に「黒電圧」ともいう）となる。本実施形態では、各データ信号Ｓ（ｉ）は、データ信号Ｓ（ｉ）の直流レベルＶＳｄｃを基準として極性が反転するので、図３（ｃ）に示すように短絡期間Ｔｓｈにおいてデータ信号Ｓ（ｉ）の直流レベルＶＳｄｃにほぼ等しくなる。なお、このようにデータ信号の極性反転時に隣接ソースラインを短絡することで各ソースラインの電圧を黒電圧（データ信号Ｓ（ｉ）の直流レベルＶＳｄｃまたは共通電極電位Ｖｃｏｍ）にほぼ等しくするという構成は、消費電力を低減するための手段として従来より提案されており、図２に示した構成に限定されるものではない。
【００４６】
第１のゲートドライバ４０１は、ゲートドライバ用のスタートパルス信号ＧＳＰおよびクロック信号ＧＣＫと、ゲートドライバ出力制御信号ＧＯＥｒ（ｒ＝１〜４）とに基づき、各データ信号Ｓ（１）〜Ｓ（１９２０）を各画素形成部（の画素容量）に書き込むために、デジタル画像信号ＤＡの各フレーム期間（各垂直走査期間）においてゲートラインＧＬ１〜ＧＬ１０８０をほぼ１水平走査期間ずつ順次選択すると共に、後述の黒挿入のために、データ信号Ｓ（ｉ）（ｉ＝１〜１９２０）の極性反転時に所定期間だけゲートラインＧＬｊ（ｊ＝１〜１０８０）を選択する。すなわち、ゲートドライバ４００は、図３（ｄ）（ｅ）に示すような画素データ書込パルスＰｗと黒電圧印加パルスＰｂとを含む走査信号Ｇ（１）〜Ｇ（１０８０）をゲートラインＧＬ１〜ＧＬ１０８０にそれぞれ印加し、これらのパルスＰｗ，Ｐｂが印加されているゲートラインＧＬｊは選択状態となり、選択状態のゲートラインＧＬｊに接続されたＴＦＴ１０がオン状態となる（非選択状態のゲートラインに接続されたＴＦＴ１０はオフ状態となる）。ここで、画素データ書込パルスＰｗは水平走査期間（１Ｈ）のうち表示期間に相当する有効走査期間でＨレベルとなるのに対し、黒電圧印加パルスＰｂは水平走査期間（１Ｈ）のうちブランキング期間に相当する短絡期間Ｔｓｈ内でＨレベルとなる。本実施形態では図３（ｄ）（ｅ）に示すように、各走査信号Ｇ（ｊ）において、画素データ書込パルスＰｗと当該画素データ書込パルスＰｗの後に最初に現れる黒電圧印加パルスＰｂとの間は２／３フレーム期間であり、黒電圧印加パルスＰｂは、１フレーム期間（１Ｖ）において１水平走査期間（１Ｈ）の間隔で続いて３個現れる。第２のゲートドライバ４０２の動作については、第１のゲートドライバ４０１と同様であるので、説明を省略する。なお、以下においても、第１のゲートドライバ４０１についてのみ説明をし、第２のゲートドライバ４０２については説明を省略する。
【００４７】
次に図３を参照しつつ、上記のソースドライバ３００および第１、第２のゲートドライバ４０１、４０２による表示部１００（図１参照）の駆動について説明する。表示部１００における各画素形成部では、それに含まれるＴＦＴ１０のゲート端子に接続されるゲートラインＧＬｊに画素データ書込パルスＰｗが印加されることにより、当該ＴＦＴ１０がオンし、当該ＴＦＴ１０のソース端子に接続されるソースラインＳＬｉの電圧がデータ信号Ｓ（ｉ）の値として当該画素形成部に書き込まれる。すなわちソースラインＳＬｉの電圧が画素容量Ｃｐに保持される。その後、当該ゲートラインＧＬｊは黒電圧印加パルスＰｂが現れるまでの期間Ｔｈｄは非選択状態となるので、当該画素形成部に書き込まれた電圧がそのまま保持される。黒電圧印加パルスＰｂは、その非選択状態の期間（以下「画素データ保持期間」という）Ｔｈｄの後の短絡期間ＴｓｈにゲートラインＧＬｊに印加される。既述のように短絡期間Ｔｓｈでは、各データ信号Ｓ（ｉ）の値すなわち各ソースラインＳＬｉの電圧は、データ信号Ｓ（ｉ）の直流レベルにほぼ等しくなる（すなわち黒電圧となる）。したがって、当該ゲートラインＧＬｊへの黒電圧印加パルスＰｂの印加により、当該画素形成部の画素容量Ｃｐに保持される電圧は黒電圧に向かって変化する。しかし、黒電圧印加パルスＰｂのパルス幅は短いので、画素容量Ｃｐにおける保持電圧を確実に黒電圧にするために、図３（ｄ）（ｅ）に示すように、各フレーム期間において１水平走査期間（１Ｈ）間隔で３個の黒電圧印加パルスＰｂが続けて当該ゲートラインＧＬｊに印加される。これにより、当該ゲートラインＧＬｊに接続される画素形成部によって形成される画素の輝度（画素容量での保持電圧によって決まる透過光量）Ｌ（ｊ，ｉ）は、図３（ｆ）に示すように変化する。したがって、各ゲートラインＧＬｊに接続される画素形成部に対応する１表示ラインにおいて、画素データ保持期間Ｔｈｄではデジタル画像信号ＤＡに基づく表示が行われ、その後に上記３個の黒電圧印加パルスＰｂが印加されてから次に当該ゲートラインＧＬｊに画素データ書込パルスＰｗが印加される時点までの期間Ｔｂｋでは黒表示が行われる。このようにして、黒表示の行われる期間（以下「黒表示期間」という）Ｔｂｋが各フレーム期間に挿入されることにより、液晶表示装置による表示のインパルス化が行われる。
【００４８】
図３（ｄ）（ｅ）からもわかるように、画素データ書込パルスＰｗの現れる時点は走査信号Ｇ（ｊ）毎に１水平走査期間（１Ｈ）ずつずれているので、黒電圧印加パルスＰｂの現れる時点も走査信号Ｇ（ｊ）毎に１水平走査期間（１Ｈ）ずつずれている。したがって、黒表示期間Ｔｂｋも１表示ライン毎に１水平走査期間（１Ｈ）ずつずれて、全ての表示ラインにつき同じ長さの黒挿入が行われる。このようにして、画素データ書込のための画素容量Ｃｐでの充電期間を短縮することなく、十分な黒挿入期間が確保される。また、黒挿入のためにソースドライバ３００等の動作速度を上げる必要もない。
【００４９】
＜２．ゲートドライバの構成＞
＜２．１  第１の構成例＞
図４（ａ）（ｂ）は、図３（ｄ）（ｅ）に示すように動作する第１のゲートドライバ４０１の第１の構成例を示すブロック図である。この構成例による第１のゲートドライバ４０１は、シフトレジスタを含む複数個（４個）の部分回路としてのゲートドライバ用ＩＣチップ４１１〜４１４からなる。
【００５０】
各ゲートドライバ用ＩＣチップは、図４（ｂ）に示すように、シフトレジスタ４０と、当該シフトレジスタ４０の各段に対応して設けられた第１および第２のＡＮＤゲート４１，４３と、第２のＡＮＤゲート４３の出力信号ｇ１〜ｇ２７０に基づき走査信号Ｇ１〜Ｇ２７０を出力する出力部４５とを備え、外部からスタートパルス信号ＳＰｉ、クロック信号ＣＫおよび出力制御信号ＯＥを受け取る。スタートパルス信号ＳＰｉはシフトレジスタ４０の入力端に与えられ、シフトレジスタ４０の出力端からは、後続のゲートドライバ用ＩＣチップに入力されるべきスタートパルス信号ＳＰｏを出力する。また、第１のＡＮＤゲート４１のそれぞれにはクロック信号ＣＫの論理反転信号が入力され、第２のＡＮＤゲート４３のそれぞれには出力制御信号ＯＥの論理反転信号が入力される。そして、各ゲートドライバ用ＩＣチップの内部信号としてシフトレジスタ４０の各段から出力信号Ｑｋ（ｋ＝１〜２７０）が出力され、当該出力信号Ｑｋは当該段に対応する第１のＡＮＤゲート４１に入力され、当該第１のＡＮＤゲート４１の出力信号は当該段に対応する第２のＡＮＤゲート４３に入力される。
【００５１】
本構成例による第１のゲートドライバ４０１は、図４（ａ）に示すように、上記構成の４個のゲートドライバ用ＩＣチップ４１１〜４１４が縦続接続されることによって実現される。すなわち、ゲートドライバ用ＩＣチップ４１１〜４１４内のシフトレジスタ４０が１つのシフトレジスタを形成するように（以下、このように縦続接続によって形成されるシフトレジスタを「結合シフトレジスタ」という）、各ゲートドライバ用ＩＣチップ内のシフトレジスタの出力端（スタートパルス信号ＳＰｏの出力端子）が次のゲートドライバ用ＩＣチップ内のシフトレジスタの入力端（スタートパルス信号ＳＰｉの入力端子）に接続される。ただし、先頭のゲートドライバ用ＩＣチップ４１１内のシフトレジスタの入力端には、表示制御回路２００からゲートスタートパルス信号ＧＳＰが入力され、最後尾のゲートドライバ用ＩＣチップ４１４内のシフトレジスタの出力端は外部と未接続となっている。また、表示制御回路２００からのゲートクロック信号ＧＣＫは、各ゲートドライバ用ＩＣチップ４１１〜４１４にクロック信号ＣＫとして共通に入力される。一方、表示制御回路２００において生成されるゲートドライバ出力制御信号ＧＯＥは第１〜第４のゲートドライバ出力制御信号ＧＯＥ１〜ＧＯＥ４からなり、これらのゲートドライバ出力制御信号ＧＯＥ１〜ＧＯＥ４は、ゲートドライバ用ＩＣチップ４１１〜４１４に出力制御信号ＯＥとしてそれぞれ個別に入力される。
【００５２】
次に、図５を参照しつつ上記第１の構成例による第１のゲートドライバ４０１の動作について説明する。表示制御回路２００は、図５（ａ）に示すように、画素データ書込パルスＰｗに対応する期間Ｔｓｐｗと３個の黒電圧印加パルスＰｂに対応する期間ＴｓｐｂｗだけＨレベル（アクティブ）となる信号をゲートスタートパルス信号ＧＳＰとして生成するとともに、図５（ｂ）に示すように、１水平走査期間（１Ｈ）毎に所定期間だけＨレベルとなるゲートクロック信号ＧＣＫを生成する。このようなゲートスタートパルス信号ＧＳＰおよびゲートクロック信号ＧＣＫが第１のゲートドライバ４０１に入力されると、先頭のゲートドライバ用ＩＣチップ４１１のシフトレジスタ４０の初段の出力信号Ｑ１として、図５（ｃ）に示すような信号が出力される。この出力信号Ｑ１は、各フレーム期間において、画素データ書込パルスＰｗに対応する１個のパルス（以下、「画素データ用パルス」という。）Ｐｑｗと、３個の黒電圧印加パルスＰｂに対応する１個のパルス（以下、「黒電圧用パルス」という。）Ｐｑｂｗとを含み、これらの２個のパルスＰｑｗとＰｑｂｗとの間はほぼ画素データ保持期間Ｔｈｄだけ離れている。このような２個のパルスＰｑｗおよびＰｑｂｗがゲートクロック信号ＧＣＫに従って第１のゲートドライバ４０１内の結合シフトレジスタを順次転送されていく。それに応じて結合シフトレジスタの各段から、図５（ｃ）に示すような波形の信号が１水平走査期間（１Ｈ）ずつ順次ずれて出力される。また、表示制御回路２００は、図５（ｄ）に示すような波形のゲートドライバ出力制御信号ＧＯＥ１を生成する。そして、そのゲートドライバ出力制御信号ＧＯＥ１は先頭のゲートドライバ用ＩＣチップ４１１に与えられる。これにより、画素データ書込パルスＰｗと３個の黒電圧印加パルスＰｂとを含む図５（ｅ）に示すような波形の走査信号Ｇ（１）が先頭のゲートドライバ用ＩＣチップ４１１から出力される。上記出力信号と同様に走査信号Ｇ（１）〜Ｇ（１０８０）についても、図５（ｅ）に示すような波形の信号が、第１のゲートドライバ４０１から１水平走査期間（１Ｈ）ずつ順次ずれて出力される。
【００５３】
次に、図６を参照しつつ、本実施形態におけるゲートドライバ出力制御信号ＧＯＥの波形について詳しく説明する。図６は、ｎ個目および（ｎ＋１）個目のゲートドライバ用ＩＣチップ（ｎ＝１〜３）に着目したときの第１のゲートドライバ４０１の動作を説明するための信号波形図である。表示制御回路２００は、既述のように、第１のゲートドライバ４０１を構成するゲートドライバ用ＩＣチップ４１１〜４１４に与えるべきゲートドライバ出力制御信号ＧＯＥ１〜ＧＯＥ４を生成する。ここで、ｎ個目のゲートドライバ用ＩＣチップに与えるべきゲートドライバ出力制御信号ＧＯＥ（ｎ）は、ｎ個目のゲートドライバ用ＩＣチップのシフトレジスタ４０の初段から出力される出力信号Ｑ１（ｎ）の黒電圧用パルスＰｑｂｗの立ち上がり時（時点ｔ１１）から当該シフトレジスタ４０の最終段から出力される出力信号Ｑ２７０（ｎ）の黒電圧用パルスＰｑｂｗの立ち下がり時（時点ｔ１４）までの期間では、ゲートクロック信号ＧＣＫがＨレベルからＬレベルに変化した直後の所定期間Ｔｏｅ（この所定期間Ｔｏｅは短絡期間Ｔｓｈに含まれるように設定される）だけＬレベルとなることを除きＨレベルとなり、それ以外の期間では、図５に示す画素データ書込パルスＰｗの調整のためにゲートクロック信号ＧＣＫのパルス近傍の所定期間でＨレベルとなることを除きＬレベルとなる。すなわち、ｎ個目のゲートドライバ用ＩＣチップには、図６（ｅ）に示すようなゲートドライバ出力制御信号ＧＯＥ（ｎ）が与えられる。なお、ゲートドライバ出力制御信号ＧＯＥ（ｎ）の波形について、ゲートクロック信号ＧＣＫがＨレベルからＬレベルに変化した直後の所定期間ＴｏｅだけＬレベルとなることを除きＨレベルとなるような波形のことを便宜上「黒挿入用波形」という。一方、ゲートクロック信号ＧＣＫのパルス近傍の所定期間でＨレベルとなることを除きＬレベルとなるような波形のことを「通常用波形」という。
【００５４】
なお、上述した画素データ書込パルスＰｗの調整のためにゲートドライバ出力制御信号ＧＯＥ１〜ＧＯＥ４に含まれるパルス（これは上記所定期間でＨレベルとなることに相当し、以下「書込期間調整パルス」という）は、必要な画素データ書込パルスＰｗに応じて、ゲートクロック信号ＧＣＫの立ち上がりよりも早く立ち上がったり、ゲートクロック信号ＧＣＫの立ち下がりよりも遅く立ち下がったりする。また、このような書込期間調整パルスを使用せずに、ゲートクロック信号ＧＣＫのパルスだけで画素データ書込パルスＰｗを調整するようにしてもよい。
【００５５】
各ゲートドライバ用ＩＣチップ４１ｒ（ｒ＝１〜４）では、上記のようなシフトレジスタ４０各段の出力信号Ｑｋ（ｋ＝１〜２７０）、ゲートクロック信号ＧＣＫおよびゲートドライバ出力制御信号ＧＯＥｒ（ｒ＝１〜４）に基づき、第１および第２のＡＮＤゲート４１，４３により、内部走査信号ｇ１〜ｇ２７０が生成され、それらの内部走査信号ｇ１〜ｇ２７０が出力部４５でレベル変換されて、ゲートラインに印加すべき走査信号Ｇ１〜Ｇ２７０が出力される。ここで、出力信号ＱｋがＨレベルであってゲートドライバ出力制御信号ＧＯＥがＬレベルである期間には走査信号ＧｋはＨレベルとなるが、それ以外の期間には走査信号ＧｋはＬレベルとなる。従って、ｎ個目のゲートドライバ用ＩＣチップにおいては、図６（ｇ）（ｈ）に示すように、出力信号Ｑ１（ｎ）の立ち上がり時（時点ｔ１１）から３水平走査期間内に３個の黒電圧印加パルスＰｂを出力する走査信号Ｇ１（ｎ）が出力され、出力信号Ｑ２７０（ｎ）の立ち上がり時（時点ｔ１２）から３水平走査期間内に３個の黒電圧印加パルスＰｂを出力する走査信号Ｇ２７０（ｎ）が出力される。また、（ｎ＋１）個目のゲートドライバ用ＩＣチップにおいては、図６（ｉ）に示すように、出力信号Ｑ１（ｎ＋１）の立ち上がり時（時点ｔ１３）から３水平走査期間内に３個の黒電圧印加パルスＰｂを出力する走査信号Ｇ１（ｎ＋１）が出力される。
【００５６】
ここで、ゲートドライバ出力制御信号ＧＯＥ（ｎ）について、黒挿入用波形から通常用波形への切り換えが出力信号Ｑ２７０（ｎ）の黒電圧用パルスＰｑｂｗの立ち下がり時に行われている理由について説明する。例えば、出力信号Ｑ１（ｎ＋１）の立ち上がり時にゲートドライバ出力制御信号ＧＯＥ（ｎ）の黒挿入用波形から通常用波形への切り換えが行われる場合、図５に示すゲートスタートパルス信号ＧＳＰのＨレベルの期間Ｔｓｐｂｗが１個の黒電圧印加パルスＰｂに対応するように設定されると、図６に示した各信号の波形は図７に示すようなものとなる。一方、同様の構成で、ゲートスタートパルス信号ＧＳＰのＨレベルの期間Ｔｓｐｂｗが３個の黒電圧印加パルスＰｂに対応するように設定されると、図６に示した各信号の波形は図８に示すようなものとなる。ここで、図７（ｈ）および図８（ｈ）に示す走査信号Ｇ２７０（ｎ）の波形に着目する。１フレーム期間内に１個の黒電圧印加パルスＰｂが出力されるように設定した場合には、図７（ｃ）（ｈ）に示すように、出力信号Ｑ２７０（ｎ）がＨレベルになっている期間（時点ｔ２２から時点ｔ２３まで）に走査信号Ｇ２７０（ｎ）は１個の黒電圧印加パルスＰｂを出力している。この場合、黒電圧印加パルスＰｂが出力されている時には、ソースドライバ３００から出力されているデータ信号Ｓの電圧は図７（ｊ）に示すように黒電圧となっている。従って、黒電圧の書き込みが正常に行われ、表示上の問題は生じない。ところが、１フレーム期間内に３個の黒電圧印加パルスＰｂが出力されるように設定した場合には、図８（ｃ）（ｈ）に示すように、出力信号Ｑ２７０（ｎ）がＨレベルになっている期間（時点ｔ３２から時点ｔ３４まで）において、走査信号Ｇ２７０（ｎ）については、１個の黒電圧印加パルスＰｂが出力された後、時点ｔ３３以降にはゲートクロック信号ＧＣＫのパルス近傍の所定期間でＬレベルとなることを除きＨレベルとなる。また、時点ｔ３３から時点ｔ３４までの期間において走査信号Ｇ２７０（ｎ）がＨレベルとなっている時に、ソースドライバ３００から出力されているデータ信号Ｓの電圧は図８（ｊ）に示すように画素データを書き込むための電圧となる。このため、本来黒電圧が印加されるべき期間中に画素データを書き込むための電圧が印加される。これにより、ｎ個目のゲートドライバ用ＩＣチップのシフトレジスタ４０の最終段と接続されたゲートラインが通る部分については、液晶層に黒電圧が印加されるべき期間中に、十分に黒電圧が印加されないのみならず画素データを書き込むための電圧が印加される。その結果、ゲートドライバ用ＩＣチップの境界部において、明るい線が視認されることとなる。このようなゲートドライバ用ＩＣチップの境界部における明るい線の発生を防ぐためには、時点ｔ３３から時点ｔ３４までの期間中、ゲートドライバ出力制御信号ＧＯＥ（ｎ）の波形は黒挿入用波形でなければならない。以上より、ゲートドライバ出力制御信号ＧＯＥ（ｎ）の黒挿入用波形から通常用波形への切り換えは、出力信号Ｑ２７０（ｎ）の黒電圧用パルスＰｑｂｗの立ち下がり時に行うものとする。
【００５７】
以上のようにして、図４（ａ）（ｂ）に示した構成のゲートドライバ４００により、ゲートドライバ用ＩＣチップの境界部における明るい線の発生を抑止しつつ、液晶表示装置において図３（ｃ）〜（ｆ）に示したようなインパルス化駆動を実現することができる。なお、本実施形態においては、図６に示す時点ｔ１１に通常用波形から黒挿入用波形への切り換えが行われ、時点ｔ１４に黒挿入用波形から通常用波形への切り換えが行われているが、時点ｔ１１より前に通常用波形から黒挿入用波形への切り換えが行われ、時点ｔ１４よりも後に黒挿入用波形から通常用波形への切り換えが行われてもよい。
【００５８】
＜２．２  第２の構成例＞
図９（ａ）（ｂ）は、図３（ｄ）（ｅ）に示すように動作する第１のゲートドライバ４０１の第２の構成例を示すブロック図である。この構成例による第１のゲートドライバ４０１も、シフトレジスタを含む４個の部分回路としてのゲートドライバ用ＩＣチップ４２１〜４２４からなる。
【００５９】
各ゲートドライバ用ＩＣチップは、図９（ｂ）に示すように構成されている。本構成例では、１つの出力制御信号ＯＥを外部から受け取る第１の構成例とは異なり、第１の出力制御信号ＯＥａと第２の出力制御信号ＯＥｂとからなる２系統の出力制御信号を外部から受け取る。本構成例によるゲートドライバ用ＩＣチップは切換スイッチ４７を備えており、第１および第２の出力制御信号ＯＥａ，ＯＥｂは切換スイッチ４７に入力される。この切換スイッチ４７は、所定の切換制御信号ＣＯＥに基づき、当該ゲートドライバ用ＩＣチップについて予め決められた第１および第２の期間に第１および第２の出力制御信号ＯＥａ，ＯＥｂをそれぞれ選択して出力制御信号ＯＥとして出力し、その出力制御信号ＯＥの論理反転信号が第１の構成例と同様に第２のＡＮＤゲート４３のそれぞれに入力される。切換制御信号ＣＯＥは、各ゲートドライバ用ＩＣチップ４２ｒ（ｒ＝１〜４）内で他の内部信号に基づき生成されるか、または、表示制御回路２００においてゲートドライバ用ＩＣチップ４２ｒ（ｒ＝１〜４）毎の制御信号として生成され、その具体的な信号波形については後述する。本構成例によるゲートドライバ用ＩＣチップにおける他の構成については、図４（ｂ）に示した第１の構成例によるゲートドライバ用ＩＣチップと同様であるので、同一の部分には同一の参照符号を付して説明を省略する。
【００６０】
本構成例による第１のゲートドライバ４０１も、図９（ａ）に示すように、上記構成の４個のゲートドライバ用ＩＣチップ４２１〜４２４が縦続接続されることによって実現されており、ゲートドライバ用ＩＣチップ４２１〜４２４内のシフトレジスタは縦続接続されて１つのシフトレジスタ（以下、第１の構成例の場合と同様「結合シフトレジスタ」という）を形成する。また、本構成例では、表示制御回路２００からのゲートクロック信号ＧＣＫは各ゲートドライバ用ＩＣチップ４２１〜４２４にクロック信号ＣＫとして共通に入力される。しかし、本構成例の場合、第１の構成例の場合とは異なり、表示制御回路２００ではゲートドライバ出力制御信号ＧＯＥとして、図１０（ｅ）に示すような第１のゲートドライバ出力制御信号ＧＯＥａと図１０（ｆ）に示すような第２のゲートドライバ出力制御信号ＧＯＥｂとが表示制御回路２００で生成され、これら２系統のゲートドライバ出力制御信号ＧＯＥａ，ＧＯＥｂが各ゲートドライバ用ＩＣチップ４２１〜４２４に出力制御信号ＯＥａ，ＯＥｂとして共通に入力される。本構成例による第１のゲートドライバ４０１の他の構成については、第１の構成例と同様であるので詳しい説明を省略する。
【００６１】
次に、図１０を参照しつつ上記第２の構成例によるゲートドライバ４００の動作について説明する。本構成例においても、第１の構成例と同様、ゲートスタートパルス信号ＧＳＰおよび図１０（ａ）に示すようなゲートクロック信号ＧＣＫが第１のゲートドライバ４０１に与えられ、各ゲートドライバ用ＩＣチップ４２ｒ（ｒ＝１〜４）内のシフトレジスタ４０の縦続接続によって形成される結合シフトレジスタの各段の出力信号も第１の構成例の場合と同様となる。例えば、ｎ個目のゲートドライバ用ＩＣチップのシフトレジスタ４０の初段の出力信号Ｑ１（ｎ）は図１０（ｂ）に示すような信号となり、ｎ個目のゲートドライバ用ＩＣチップのシフトレジスタ４０の最終段の出力信号Ｑ２７０（ｎ）は図１０（ｃ）に示すような信号となる。
【００６２】
ここで、第１のゲートドライバ出力制御信号ＧＯＥａは、画素データ書込パルスＰｗの調整のためにゲートクロック信号ＧＣＫのパルス近傍の所定期間でＨレベルとなり、他の期間ではＬレベルとなる信号である。これに対し、第２のゲートドライバ出力制御信号ＧＯＥｂは、ゲートクロック信号ＧＣＫがＨレベルからＬレベルに変化した直後の所定期間Ｔｏｅ（この所定期間Ｔｏｅは短絡期間Ｔｓｈに含まれるように設定される）だけＬレベルとなり、その他の期間ではＨレベルとなる信号である。したがって、各ゲートドライバ用ＩＣチップ４２ｒ（ｒ＝１〜４）の切換スイッチ４７で第１のゲートドライバ出力制御信号ＧＯＥａが内部の出力制御信号ＯＥとして選択される場合には、図９（ｂ）に示す構成より、シフトレジスタ４０の各段の出力信号Ｑ１〜Ｑ２７０のうちＨレベルとなる出力信号Ｑｋに対応する走査信号Ｇｋとして、ほぼ１水平走査期間（１Ｈ）に等しい幅のパルスである画素データ書込パルスが生成される。一方、第２のゲートドライバ出力制御信号ＧＯＥｂが内部の出力制御信号ＯＥとして選択される場合には、シフトレジスタ４０の各段の出力信号Ｑ１〜Ｑ２７０のうちＨレベルとなる出力信号Ｑｋに対応する走査信号Ｇｋとして、上記所定期間Ｔｏｅに等しい幅のパルスである黒電圧印加パルスＰｂが生成される。なお、画素データ書込パルスの調整のために第１のゲートドライバ出力制御信号ＧＯＥａに含まれるパルス（これは上記所定期間でＨレベルとなることに相当し、以下「書込期間調整パルス」という）は、必要な画素データ書込パルスに応じて、ゲートクロック信号ＧＣＫの立ち上がりよりも早く立ち上がったり、ゲートクロック信号ＧＣＫの立ち下がりよりも遅く立ち下がったりする。また、このような書込期間調整パルスを使用せずに第１のゲートドライバ出力制御信号ＧＯＥａをＬレベルに固定し、ゲートクロック信号ＧＣＫのパルスだけで画素データ書込パルスを調整するようにしてもよい。
【００６３】
各ゲートドライバ用ＩＣチップ４２ｒ（ｒ＝１〜４）の切換スイッチ４７は、切換制御信号ＣＯＥがＬレベルのときには第１のゲートドライバ出力制御信号ＧＯＥａを選択して出力し、切換制御信号ＣＯＥがＨレベルのときには第２のゲートドライバ出力制御信号ＧＯＥｂを選択して出力する。そして、ｎ個目のゲートドライバ用ＩＣチップの切換スイッチ４７に与えられる切換制御信号ＣＯＥ（ｎ）は、出力信号Ｑ１（ｎ）の黒挿入のための立ち上がり時（時点ｔ４１）から出力信号Ｑ２７０（ｎ）の黒挿入を終了するための立ち下がり時（時点ｔ４４）までの期間ではＨレベルとなり、それ以外の期間ではＬレベルとなる。したがって、切換制御信号ＣＯＥの波形はゲートドライバ用ＩＣチップ毎に異なり、例えば、ｎ個目のゲートドライバ用ＩＣチップの切換スイッチ４７に与えられる切換制御信号ＣＯＥ（ｎ）は図１０（ｇ）に示すような信号となり、（ｎ＋１）個目のゲートドライバ用ＩＣチップの切換スイッチ４７に与えられる切換制御信号ＣＯＥ（ｎ＋１）は図１０（ｈ）に示すような信号となる。
【００６４】
各ゲートドライバ用ＩＣチップ４２ｒ（ｒ＝１〜４）では、上記のようなシフトレジスタ４０各段の出力信号Ｑｋ（ｋ＝１〜２７０）、ゲートクロック信号ＧＣＫ、および切換スイッチ４７によって選択された出力制御信号ＯＥに基づき、第１および第２のＡＮＤゲート４１，４３により、内部走査信号ｇ１〜ｇ２７０が生成され、それらの内部走査信号ｇ１〜ｇ２７０が出力部４５でレベル変換されて、ゲートラインに印加すべき走査信号Ｇ１〜Ｇ２７０が出力される。ここで、出力信号ＱｋがＨレベルであってゲートドライバ出力制御信号ＯＥがＬレベルである期間には走査信号ＧｋはＨレベルとなるが、それ以外の期間には走査信号ＧｋはＬレベルとなる。従って、ｎ個目のゲートドライバ用ＩＣチップにおいては、図１０（ｋ）（ｌ）に示すように、出力信号Ｑ１（ｎ）の立ち上がり時（時点ｔ４１）から３水平走査期間内に３個の黒電圧印加パルスＰｂを出力する走査信号Ｇ１（ｎ）が出力され、出力信号Ｑ２７０（ｎ）の立ち上がり時（時点ｔ４２）から３水平走査期間内に３個の黒電圧印加パルスＰｂを出力する走査信号Ｇ２７０（ｎ）が出力される。また、（ｎ＋１）個目のゲートドライバ用ＩＣチップにおいては、図１０（ｍ）に示すように、出力信号Ｑ１（ｎ＋１）の立ち上がり時（時点ｔ４３）から３水平走査期間内に３個の黒電圧印加パルスＰｂを出力する走査信号Ｇ１（ｎ＋１）が出力される。以上のようにして、第１の構成例と同様、ゲートラインＧＬ１〜ＧＬ１０８０には、順次画素データ書込パルスが印加されると共に、各ゲートラインＧＬｊ（ｊ＝１〜１０８０）では、３個の黒電圧印加パルスＰｂが印加される。
【００６５】
上記のようにして、図９（ａ）（ｂ）に示した構成のゲートドライバ４００によっても、ゲートドライバ用ＩＣチップの境界部における明るい線の発生を抑止しつつ、液晶表示装置において図３（ｃ）〜（ｆ）に示したようなインパルス化駆動を実現することができる。
【００６６】
＜３．効果＞
以上のように本実施形態によれば、データ信号Ｓ（ｉ）の極性反転時の各短絡期間Ｔｓｈには各ソースラインＳＬｉの電圧は黒表示に相当する値となっており（図３（ｃ））、各ゲートラインＧＬｊには、画素データ書込パルスＰｗが印加されてから２／３フレーム期間の長さの画素データ保持期間Ｔｈｄが経過した後に、１水平走査期間間隔で３個の黒電圧印加パルスＰｂがそれぞれ短絡期間Ｔｓｈ内に印加される（図３（ｄ）（ｅ））。これにより、次に画素データ書込パルスＰｗが印加されるまでは黒表示の期間Ｔｂｋとなるので、各フレームにつき、ほぼ１／３フレーム期間程度の黒挿入が行われる。すなわち、インパルス化駆動のための黒表示期間Ｔｂｋが１表示ライン毎に１水平走査期間（１Ｈ）ずつずれて、全ての表示ラインにつき同じ長さの黒挿入が行われる（図３（ｄ）（ｅ））。これにより、画素データ書込のための画素容量Ｃｐでの充電期間を短縮することなく、十分な黒挿入期間が確保され、しかも、黒挿入のためにソースドライバ３００等の動作速度を上げる必要もない。
【００６７】
また、上記第１の構成例における各ゲートドライバ用ＩＣチップに与えられるゲートドライバ出力制御信号ＧＯＥ１〜ＧＯＥ４および上記第２の構成例における切換スイッチ４７によって選択された出力制御信号ＯＥは、それぞれのシフトレジスタ４０から出力される出力信号Ｑ１の黒挿入のための立ち上がり時から出力信号Ｑ２７０の黒挿入を終了するための立ち下がり時までは黒挿入用波形となり、それ以外の期間には通常用波形となる。黒挿入用波形とはゲートクロック信号ＧＣＫがＨレベルからＬレベルに変化した直後の所定期間ＴｏｅだけＬレベルとなる波形のことであり、そのＬレベルとなっている期間にはデータ信号の電圧は黒電圧となっている。また、各ゲートドライバ用ＩＣチップから出力される走査信号は、出力信号ＱｋがＨレベルであってゲートドライバ出力制御信号ＧＯＥ（あるいは出力制御信号ＯＥ）がＬレベルである期間にＨレベルとなる。以上より、各ゲートラインへの走査信号の印加の結果、ゲートドライバ用ＩＣチップの境界部で明るい線が生じることがなく、黒電圧印加パルスＰｂの印加が効果良く行われる。
【００６８】
上記実施形態では、各ゲートラインＧＬｊには１フレーム期間毎に３個の黒電圧印加パルスＰｂが印加されるが、１フレーム期間における黒電圧印加パルスＰｂの個数は３個に限定されるものではなく、表示を黒レベルとすることができるような個数であればよい。また、図３（ｆ）からわかるように、１フレーム期間における黒電圧印加パルスＰｂの個数を変えることにより黒表示期間Ｔｂｋにおける黒レベル（表示輝度）を所望の値に設定することができる。なお、１フレーム期間における黒電圧印加パルスＰｂの個数は、ゲートスタートパルス信号ＧＳＰにおける期間Ｔｓｐｂｗの設定を変えることにより容易に調整することができる。
【００６９】
上記実施形態では、各ゲートラインＧＬｊに対し、画素データ書込パルスＰｗが印加されてから２／３フレーム期間の長さの画素データ保持期間Ｔｈｄが経過した時点で黒電圧印加パルスＰｂが印加され（図３（ｄ）（ｅ））、各フレームにつき、ほぼ１／３フレーム期間程度の黒挿入が行われるが、黒表示期間Ｔｂｋは１／３フレーム期間に限定されるものではない。黒表示期間Ｔｂｋを長くすればインパルス化の効果が大きくなり動画の表示品質の改善（尾引残像の抑制等）には有効であるが、表示輝度が低下することになるので、インパルス化の効果と表示輝度とを勘案して適切な黒表示期間Ｔｂｋが設定されることになる。ただし、インパルス化の効果を十分に得るためには１フレーム期間の５０％〜２０％を黒挿入の期間とするのが好ましい。上記実施形態によれば、ゲートスタートパルス信号ＧＳＰの設定によって画素データ保持期間Ｔｈｄを変えることで、黒電圧印加パルスの現れるタイミングを変化させることにより、黒表示期間Ｔｂｋを容易に調整することができる。
【００７０】
上記実施形態において第１の構成例によるゲートドライバ４００を採用する場合には、図４（ａ）からわかるように、既存のゲートドライバ用ＩＣチップを複数個用い、各ゲートドライバ用ＩＣチップに入力すべきゲートドライバ出力制御信号ＧＯＥ１〜ＧＯＥ４を適切に設定するだけで、インパルス化駆動を実現することができる。また、第２の構成例によるゲートドライバ４００を採用する場合には、図９（ａ）（ｂ）からわかるように、既存のゲートドライバ用ＩＣチップを複数個用い、２系統のゲートドライバ出力制御信号ＧＯＥａ，ＧＯＥｂを用意すると共に各ゲートドライバ用ＩＣチップに切換スイッチ４７等の少量の回路を追加するのみで、インパルス化駆動を実現することができる。
【００７１】
＜４．変形例＞
上記実施形態では、データ信号Ｓ（１）〜Ｓ（１９２０）の極性反転時に隣接ソースラインを短絡させることにより各ソースラインＳＬｉ（ｉ＝１〜１９２０）が黒表示に相当する電圧となるように構成されている。しかし、これに代えて、データ信号Ｓ（１）〜Ｓ（１９２０）の極性反転時に各ソースラインＳＬｉを共通電極Ｅｃに短絡させる構成であってもよい（例えば特許文献３参照）。すなわち、図２に示した構成において隣接ソースライン間を接続する第２のＭＯＳトランジスタＳＷｂに代えて、図１１に示すように、ソースドライバ３００において各ソースラインに接続される出力端子と共通電極Ｅｃとの間を接続するスイッチング素子として第３のＭＯＳトランジスタＳＷｃを設け、それら第３のＭＯＳトランジスタＳＷｃのゲート端子に短絡制御信号Ｃｓｈを与える構成としてもよい。
【００７２】
各ソースラインＳＬｉの電位は、当該ソースラインＳＬｉを共通電極Ｅｃに短絡させると、共通電極電位Ｖｃｏｍとなり、オン状態のＴＦＴ１０を介して画素電極に与えられる。その後、当該ＴＦＴ１０がオフ状態に変化すると、その画素電極の電位は、当該ＴＦＴ１０の寄生容量Ｃｇｄに起因して共通電極電位Ｖｃｏｍからフィールドスルー電圧ΔＶｄだけ変化する（画素電極電位にレベルシフトΔＶｄが生じる）。しかし、寄生容量ＣｇｄによるレベルシフトΔＶｄが液晶の光学的しきい値電圧Ｖｔｈに対して十分に小さい場合には、次に当該ＴＦＴ１０がオン状態になるまでは黒表示が行われることになる。よって、この場合、出力部が図１１に示すように構成されたソースドライバ３００を備える液晶表示装置において、ゲートドライバを図４（ａ）（ｂ）または図９（ａ）（ｂ）に示すような構成とし、図５および図６または図１０に示すように動作させることにより、上記実施形態と同様の効果を得ることができる。
【００７３】
より一般的には、本発明は、データ信号Ｓ（１）〜Ｓ（１９２０）の極性反転時に各ソースラインＳＬｉが黒表示に相当する電圧になるようにソースドライバ３００等が構成されていれば適用可能である。すなわち、水平表示ラインの切り替わり時に上記短絡期間Ｔｓｈ相当の期間だけデータ信号Ｓ（１）〜Ｓ（１９２０）に黒信号（黒表示に相当する信号）が挿入される構成であれば、本発明の適用が可能である。
【００７４】
なお上記実施形態では、第１および第２のＭＯＳトランジスタＳＷａ，ＳＷｂとインバータ３３とによって、黒信号挿入期間としての短絡期間Ｔｓｈに各ソースラインＳＬｉ（ｉ＝１〜１９２０）を黒電圧（黒表示に相当する電圧）とする回路、すなわち黒信号挿入回路が実現され、上記変形例では、第１および第３のＭＯＳトランジスタＳＷａ，ＳＷｃとインバータ３３とによって、黒信号挿入期間としての短絡期間Ｔｓｈに各ソースラインＳＬｉ（ｉ＝１〜１９２０）を黒電圧とする黒信号挿入回路が実現される。上記実施形態および変形例では、このような黒信号挿入回路がソースドライバ３００内に設けられているが、このような黒信号挿入回路をソースドライバ３００の外部、例えばＴＦＴを用いて表示部１００内に画素アレイと一体化して設ける構成としてもよい。
【００７５】
また、上記実施形態では、１０８０本のゲートラインと１９２０本のソースラインを備えた液晶表示装置を例に挙げて説明したが、ゲートラインの本数およびソースラインの本数についてはこれに限定されない。また、第１、第２のゲートドライバ４０１、４０２については、それぞれ４個のゲートドライバ用ＩＣチップを備える構成としているが、本発明はこれに限定されない。
【図面の簡単な説明】
【００７６】
【図１】本発明の一実施形態に係る液晶表示装置の構成をその表示部の等価回路と共に示すブロック図である。
【図２】上記実施形態におけるソースドライバの出力部の一構成例を示す回路図である。
【図３】上記実施形態に係る液晶表示装置の動作を説明するための信号波形図である。
【図４】上記実施形態における第１のゲートドライバの第１の構成例を示すブロックである。
【図５】上記第１の構成例による第１のゲートドライバの動作を説明するための信号波形図である。
【図６】上記第１の構成例による第１のゲートドライバの動作を説明するための信号波形図である。
【図７】上記第１の構成例において、ゲートドライバ出力制御信号の生成について説明するための信号波形図である。
【図８】上記第１の構成例において、ゲートドライバ出力制御信号の生成について説明するための信号波形図である。
【図９】上記実施形態における第１のゲートドライバの第２の構成例を示すブロックである。
【図１０】上記第２の構成例による第１のゲートドライバの動作を説明するための信号波形図である。
【図１１】上記実施形態におけるソースドライバの出力部の他の構成例を示す回路図である。
【図１２】ホールド型表示装置での動画表示における課題を説明するための図である。
【符号の説明】
【００７７】
１０              …ＴＦＴ（スイッチング素子）
３１              …バッファ（電圧ホロワ）
４０              …シフトレジスタ
４１，４３        …ＡＮＤゲート
４５              …出力部
４７              …切換スイッチ
１００            …表示部
２００            …表示制御回路
３００            …ソースドライバ（データ信号線駆動回路）
４００            …ゲートドライバ（走査信号線駆動回路）
４１１〜４１４    …ゲートドライバ用ＩＣチップ
４２１〜４２４    …ゲートドライバ用ＩＣチップ
Ｃｐ              …画素容量
Ｅｃ              …共通電極
ＳＷａ            …第１のＭＯＳトランジスタ（スイッチング素子）
ＳＷｂ            …第２のＭＯＳトランジスタ（スイッチング素子）
ＳＬｉ            …ソースライン（データ信号線）（ｉ＝１，２，…，１９２０）
ＧＬｊ            …ゲートライン（走査信号線）（ｊ＝１，２，…，１０８０）
ＤＡ              …デジタル画像信号
ＳＳＰ            …データスタートパルス信号
ＳＣＫ            …データクロック信号
ＧＳＰ            …ゲートスタートパルス信号
ＧＣＫ            …ゲートクロック信号
Ｃｓｈ            …短絡制御信号
ＣＯＥ            …切換制御信号
ＧＯＥ            …ゲートドライバ出力制御信号
ＧＯＥ１〜ＧＯＥ４…ゲートドライバ出力制御信号
ＧＯＥａ，ＧＯＥｂ…ゲートドライバ出力制御信号
Ｓ（ｉ）          …データ信号（ｉ＝１，２，…，１９２０）
Ｇ（ｊ）          …走査信号（ｊ＝１，２，…，１０８０）
Ｐｗ              …画素データ書込パルス
Ｐｂ              …黒電圧印加パルス
Ｔｈｄ            …画素データ保持期間（画素値保持期間）
Ｔｂｋ            …黒表示期間
Ｔｓｈ            …短絡期間（黒信号挿入期間）
【図１】
2007192867.tif 000003
【図２】
2007192867.tif 000004
【図３】
2007192867.tif 000005
【図４】
2007192867.tif 000006
【図５】
2007192867.tif 000007
【図６】
2007192867.tif 000008
【図７】
2007192867.tif 000009
【図８】
2007192867.tif 000010
【図９】
2007192867.tif 000011
【図１０】
2007192867.tif 000012
【図１１】
2007192867.tif 000013
【図１２】
2007192867.tif 000014